(57)【要約】【課題】遊技盤を前面基準位置で確実に取付けることができる遊技機を提供する。【解決手段】  外枠２に対して内枠３が開閉自在に支持され、該内枠３に遊技盤５が前側から着脱自在に装着される遊技盤収納部２５を備えた遊技機１であって、遊技盤収納部２５には、遊技盤５の一側を保持する規制部材５０が固着され、規制部材５０は、前記遊技盤５の前面基準位置を規定する支持部５１と、遊技盤５の後面側を押圧して該遊技盤５の前面を前記支持部５１に当接させる弾性押圧部５２とを含み、前記支持部５１及び弾性押圧部５２が前記遊技盤５の一側面に近接または当接して対向配置される連設部５４を介して一体に形成するようにした。【選択図】図４
2010148709.tif 000002
【特許請求の範囲】
【請求項１】
外枠に対して内枠が開閉自在に支持され、該内枠に遊技盤が前側から着脱自在に装着される遊技盤収納部を備えた遊技機であって、
前記遊技盤収納部には、遊技盤の一側を保持する規制部材が固着され、
前記規制部材は、前記遊技盤の前面基準位置を規定する支持部と、前記遊技盤の後面側を押圧して該遊技盤の前面を前記支持部に当接させる付勢力を備えた弾性押圧部とを含み、前記支持部及び弾性押圧部が前記遊技盤の一側面に近接または当接して対向配置される連設部を介して一体に形成されていることを特徴とする遊技機。
【請求項２】
前記規制部材は、前記支持部と弾性押圧部との間隔を遊技盤の厚さより小幅としたことを特徴とする請求項１記載の遊技機。
【請求項３】
前記規制部材は、前記支持部の先端から前記弾性押圧部と反対側に屈曲して取付片を延設し、該取付片を介して前記規制部材を前記遊技盤収納部に取着するようにした請求項１又は２記載の遊技機。
【請求項４】
前記規制部材は、前記連設部を遊技盤収納部の一側に沿うように延設し、前記支持部及び弾性押圧部を所定の間隔をもって複数備えたことを特徴とする請求項１乃至３のいずれかに記載の遊技機。
【発明の詳細な説明】
【技術分野】
【０００１】
本発明は、内枠に遊技盤が着脱自在に装着される遊技機に関する。
【背景技術】
【０００２】
従来、遊技機の一種であるぱちんこ機は、本体枠にアタッカー・電チュー等が配設される遊技領域を備えた遊技盤が着脱自在に設けられており、この遊技盤の前面に遊技領域が視認可能なガラス等の透明板を備えた前枠が装着されている。遊技盤を前方から本体枠に取り付ける構成とした場合、遊技盤の裏面を本体枠に当接させて取り付けると、遊技盤の裏面を基準に遊技盤の前面位置が決められることになる。そうすると、遊技盤を構成する板厚寸法のばらつきにより遊技盤の前面位置が変化してしまい、遊技盤前面と発射位置がずれて遊技球を遊技領域に打ち込む際に発射力がばらついてしまう問題がある。また、遊技盤とガラス間との寸法のばらつきを生じ、入賞等の確率に影響を与えたり、アタッカー・電チュー解放時の球止まりが発生したりする問題がある。
【０００３】
そこで、この問題を解決するために、本体枠の内側に突出して遊技盤の前面位置を規制する案内部を形成すると共に、遊技盤の裏面側から遊技盤を前方に押す弾性力を備えたスプリング等の弾性部材を対として設け、最後に係止部材で遊技盤を固定することで、遊技盤の前面位置を適正化することが提案されている（特許文献１参照）。
【０００４】
【特許文献１】特開２００３−１９０４３７号公報
【発明の開示】
【発明が解決しようとする課題】
【０００５】
しかしながら、特許文献１のような遊技機においては、遊技盤の前面位置を規制する案内部が本体枠と一体に成形され、弾性部材が別途ビス着されているため、案内部と弾性部材との位置関係が一定とならず、弾性部材の弾発力のばらつきが大きくなり遊技盤の前面位置を適正に維持できないおそれがある。また、弾性部材の取付けが案内部により制限されているため、案内部の後ろに対向配置することができず、上下方向に位置をずらして設けなければならない。そのため、案内部に対する弾性部材の弾発力が拡散して遊技盤を案内部に確実に押しつけることができないという問題がある。さらに、樹脂により案内部を本体枠の内側に突出して一体形成しているため、本体枠の金型が複雑となり成形不良や金型の損壊を引き起こしやすく、コストアップの要因となっている。また、案内部を別体で形成したとしても、それぞれを取着するためにビス等の固定手段及び取り付けスペースが必要となり、取付け作業が煩わしく、しかも案内部と弾性部材との位置関係にバラツキが生じやすく、前面基準位置が安定し難いという問題がある。
【０００６】
本発明の遊技機は、上記従来技術の課題を解決することを目的とし、遊技盤を前面基準位置で確実に取付けることができる遊技機を提供することにある。
【課題を解決するための手段】
【０００７】
本発明は上記目的を達成するため、本発明の遊技機は、外枠に対して内枠が開閉自在に支持され、該内枠に遊技盤が前側から着脱自在に装着される遊技盤収納部を備えた遊技機であって、前記遊技盤収納部には、遊技盤の一側を保持する規制部材が固着され、前記規制部材は、前記遊技盤の前面基準位置を規定する支持部と、前記遊技盤の後面側を押圧して該遊技盤の前面を前記支持部に当接させる付勢力を備えた弾性押圧部とを含み、前記支持部及び弾性押圧部が前記遊技盤の一側面に近接または当接して対向配置される連設部を介して一体に形成されていることを特徴とする。
【０００８】
また、前記規制部材は前記支持部と弾性押圧部が対向配置され、一側が開放した略コ字状の遊技盤を保持する嵌合部が形成され、遊技盤の装着時に遊技盤を開放した遊技盤嵌合部の斜め側方から挿入して前記遊技盤嵌合部を支点として該遊技盤を遊技盤収納部に装着することができる。
【０００９】
また、前記規制部材は、前記支持部と弾性押圧部との間隔を遊技盤の厚さより小幅としたことを特徴とする。これにより、弾性押圧部が遊技盤の後面を確実に押圧して、遊技盤を前面基準位置に規制することができる。
【００１０】
また、前記規制部材は、前記支持部の先端から前記弾性押圧部と反対側に屈曲して取付片を延設し、該取付片を介して前記規制部材を前記遊技盤収納部に取着するようにした。これにより、規制部材の取付部が遊技盤の前面側となり、遊技領域後方の拡大化に寄与する。また、支持部の撓みを規制して補強することができ前面基準位置を安定させることができる。また、取付片をＬ字状に形成するのが好ましく、支持部をより強固なものとすることができる。言い換えれば、支持部をコ字状に形成し、その先端が取着部となっており、ビス着等の取付けがしやすくなる。
【００１１】
また、前記規制部材は、前記連設部を遊技盤収納部の一側に沿うように延設し、前記支持部及び弾性押圧部を所定の間隔をもって複数備えたことを特徴とする。
【発明の効果】
【００１２】
上述した遊技機によれば、遊技盤の前面が当接する支持部と遊技盤の後面側を押圧し遊技盤を前面側に付勢する弾性押圧部を一体に形成したので、案内部と弾性部材との位置関係が均一になり遊技盤を確実に前面基準位置に取付けることができる。また、内枠の金型も簡素化でき成形時の金型損壊や成形不良をなくし、メンテナンスを容易にすることができ、生産コストの軽減に寄与する。また、規制部材を一部材として取付けスペースが１箇所ですむことから、取付けスペースをスリム化することができ、その空いたスペースにより、遊技盤の後方領域の拡大も可能となり、遊技盤に配置する液晶表示装置等の主要装置やＬＥＤ・可動体等の装飾・演出部材を容易に設けることができる。そして、外枠の補強スペースとして有効利用することもできる。
【００１３】
また、前記規制部材は、前記連設部を遊技盤収納部の一側に沿うように延設し、前記支持部及び弾性押圧部を所定の間隔をもって複数備えたことにより、取付け作業を簡素化すると共に遊技盤の取付け状態が一定となり、製品の画一化を図ることができる。さらに、連設部を延設した連桔部が遊技盤収納部の補強部材の役割を果たすことができる。
【発明を実施するための最良の形態】
【００１４】
以下に、この発明を実施するための最良の形態について図面を参照して説明する。図１は遊技機としてのぱちんこ機の正面図、図２は前枠を開放したぱちんこ機の斜視図である。ぱちんこ機１は、図１及び図２に示すように、そのぱちんこ機１の外郭を形成する額縁状の外枠２を備え、その外枠２に対して、前面側に遊技盤５が装着される内枠３が開閉自在に支持されている。また、内枠３の一側に遊技盤５の正面を覆うガラス等の透明板を備えた前枠６が開閉自在に設けられている。そして、その前枠６の下方前面に遊技球を貯留し、貯留した遊技球を整流して発射装置２６に遊技球を供給する球受皿９が設けられている。また、この球受皿９の右下側に遊技球の発射力を調節する発射ハンドル１０が設けられている。
【００１５】
なお、本明細書において、ぱちんこ機１における上下方向とは遊技盤５の盤面に沿う態様で遊技領域５ａを遊技球が流下する方向（鉛直方向）を意味する。また、左右方向とは遊技盤５の盤面に沿う態様で上下方向に交差（直交）する方向（水平方向）を意味し、遊技者側からみて左側、右側をいう。また、前後方向とは遊技盤５の盤面に交差（直交）する方向（水平方向）を意味し、遊技盤５の遊技者側が前側であり、遊技盤５の奥側（遊技領域５ａの反対側）が後側である。
【００１６】
遊技盤５は、略方形状に形成され、盤面（前面）には、図１及び図２に示すようにガイドレール４によって全体として円形に区画された遊技領域５ａが形成されている。遊技領域５ａの中央には液晶表示部を備えた表示装置１８が搭載され、表示装置１８の下方（遊技領域５ａの中央下部）には入賞により液晶表示部を変動表示させる電動チューリップ（電チュー）にて構成される始動口２０が配置されている。また、始動口２０の下方には電気的駆動源により扉が開閉する大入賞口１９（アタッカー）が配置され、遊技領域５ａの最下部にアウト口２１が設けられている。そして、ガイドレール４より外側（遊技領域外）の右側上下コーナー部前面にはプレート１３がビス止めされている。このプレート１３には、後述する遊技盤留め具１２を位置決めする位置決め部１５ａ，１５ｂが設けられている（図７参照）。
【００１７】
内枠３は、図２及び図３に示すように合成樹脂により縦長方形状に形成されると共に中央に窓部１１が開設された枠状に形成され、遊技盤５を前側から配置するように左縦枠３ａ、右縦枠３ｂ、下横枠３ｃ、上横枠３ｄとにより遊技盤収納部２５が形成されている。左縦枠３ａには、前端縁に内枠３の高さに相当する長さを有する断面Ｌ字状の縦補強板金３１が取り付けられ、遊技盤５の一側を保持する規制部材５０が上下に所定の間隔をもって設けられている。下横枠３ｃの前面には、遊技球を１球ずつ遊技領域５ａに向けて発射する発射装置２６及び発射レール２７が設けられ、遊技盤５の載置部には図７に示すように遊技盤留め具１２を位置決めする位置決め部１５ｃが突設されている。また、右縦枠３ｂには、内枠３及び前枠６を施錠する施錠装置２８が設けられ、施錠装置２８に設けられるシリンダ錠２９を操作することにより、内枠３及び前枠６を解錠できるようにしている。さらに、右縦枠３ｂ及び下横枠３ｃには、一側を規制部材５０で保持された遊技盤５を遊技盤収納部２５に固定する遊技盤止め具１２が組み付けられている。
【００１８】
遊技盤留め具１２は、図７（ロ）に示すように遊技盤５の前面（プレート１３）に当接して係止する係止位置と、図７（イ）に示す遊技盤５の前面より退避する退避位置との間で回転可能に組み付けられている。遊技盤留め具１２は、遊技盤６の前面位置を規制するＬ字状をした留め部１２ａと、当該留め部１２ａのコーナー部後面側に設けられた回転軸１２ｂとを備えている。また、遊技盤留め具１２の留め部１２ａの裏面（プレート１３の対向面）には、位置決め部１５ｂ，１５ｃと係止可能な長突条１２ｄ，１２ｄ及び位置決め部１５ａと係止可能な短突条１２ｅ，１２ｅが各々突設されている。この長突条１２ｄ，１２ｄ及び短突条１２ｅ，１２ｅが形成されていることにより、退避位置においても係止位置においても遊技盤留め具１２の回り止めを確実に行なうことができ、遊技盤５を中途半端な位置で留めることにより引き起こすガタつき等の不具合を未然に防ぐことができる。
【００１９】
規制部材５０は、図５及び図６に示すように遊技盤５の前面基準位置を規定する支持部５１と遊技盤５の後面側を押圧して該遊技盤５の前面を支持部に当接させる付勢力を備えた弾性押圧部５２とが、遊技盤５の一側面に近接または当接して対向配置される連設部５４を介して一体に形成され、遊技盤５の一側を保持する嵌合部５７が形成されている。
【００２０】
規制部材５０は、図５に示すように所定板厚（実施例では０．８ｍｍ）の板金を屈曲して、連設部５４を介して支持部５１と弾性押圧部５２が対向するように配置され、遊技盤を保持する嵌合部５７が、一側が開放する平面略コ字状に形成されている。そして、支持部５１の先端から弾性押圧部５２と反対側に屈曲してＬ字状の取付片５３が延設されている。この取付片５３を支持部５１の前方に設けることにより、遊技盤５の後方領域の拡大も可能となり、表示装置１８やＬＥＤ・可動体等の装飾・演出部材を容易に設けることができる。また、支持部５１が補強されて強固なものとなり、遊技盤５の前面基準位置がぶれることなく確実に規定される。このため、前枠６の透明板との間隔（寸法）が一定となり、始動口２０等への入賞の確率に影響を及ぼすことがなく、大入賞口１９・始動口２０（電チュー）の開放時の扉や羽根又は障害釘等でぶどう状の球止まりを引き起こす要因をなくすことができる。なお、板金の板圧は、１ｍｍ以下が好ましく、弾発力が弱いと遊技盤５が嵌め難くなり作業性が悪くなり、遊技盤５アクリル等で形成した場合には破損する虞がでてくる。
【００２１】
また、弾性押圧部５２は、支持部５１と略同じ長さで平行状に設けられ、弾性押圧部５２の支点ともなる固定部５５を備え、支持部５１側へ弾性が付与するようにへ字状に形成されている。つまり、支持部５１に比較して弾性押圧部５２が遊技盤収納部２５の内方に向けて突出して、嵌合部５７に遊技盤５を斜め側方から挿入しやすくしている。固定部５５には、遊技盤収納部２５に設けられた位置決め突起３３が嵌合する透孔５６が開設されている。支持部５１と弾性押圧部５２（最も前方に位置する端部）との間隔Ｓは遊技盤５の厚さより小幅に設定され、遊技盤５が支持部５１と弾性押圧部５２とで確実に挟持されるようにして、弾性押圧部５２が確実に遊技盤５の背面に当接して付勢力が常に遊技盤５の前面側にかかるようにしている。弾性押圧部５２を所定板厚の板金で形成することで、支持部５１と弾性押圧部５２との間隔Ｓが遊技盤５の厚さより大きくなっても、金属の特性により簡単に小幅に調整することができ、リユースも可能である。
【００２２】
規制部材５０は、図４に示すように支持部５１と弾性押圧部５２の開放側が内向きとなり支持部５１が遊技盤収納部２５から内方に向けて突出するように、固定部５５の透孔５６を位置決め突起３３に嵌合すると共に、取付片５３を縦補強板金３１の所定位置に内枠３の前面側からビス等の締結部材を締結することによって固着される。このため、取付け作業及び部品交換の際に内枠３の前面側から簡単にでき、作業効率を高めることができる。弾性押圧部５２により遊技盤５を前面側に押圧して、遊技盤５を前面基準位置に確実に維持させることができ、遊技盤５の前面と発射レール２７の取付け面が同一面となり、遊技盤５の前面と発射位置の適正化が図れて安定した球飛びを実現することができる。このように、遊技盤５の前面が当接する支持部５１と遊技盤５の後面側を押圧し遊技盤５を前面側に付勢する付勢力を備えた弾性押圧部５２を連設部５４を介して一体に形成することにより、支持部５１と弾性押圧部５２の位置合わせが不要となり、支持部５１と弾性押圧部５２との間隔Ｓを略一定とすることができる。
【００２３】
次に、遊技盤５の装着について図面を参照して説明する。図２に示すように前枠６を開放し、遊技盤留め具１２を図７（イ）に示す退避位置に保持した状態で、遊技盤５の左端部を規制部材５０の嵌合部５７に向けて斜め側方から開口部に導入するように差し込む。このとき、遊技盤留め具１２の長突条１２ｄ，１２ｄは、支持部１５ｄの両側位置にあり、遊技盤留め具１２が自由に回転するのを規制している。そして、遊技盤５の左端部を規制部材５０（嵌合部５７）の奥端に突き当てた状態で、規制部材５０を支点として遊技盤５の右側縁部を内枠３方向へ回転させながら遊技盤収納部２５に収納するように押さえ込む。
【００２４】
これにより、遊技盤５の左側は図６に示すように嵌合部５７に嵌合し、遊技盤５の背面を弾性押圧部が前面側に押圧することにより、遊技盤５の前面が各支持部３０に当接し、遊技盤５の前面基準が維持される。そして、遊技盤留め具１２を図７（ロ）に示す遊技盤５の前面（プレート１３）に当接して係止する係止位置に回動して遊技盤５が遊技盤収納部２５に装着され、遊技盤５が前面基準を維持した状態でしっかりと固定される。このとき、長突条１２ｄ，１２ｄは位置決め部１５ａの両側位置にあり、短突条１２ｅ，１２ｅは位置決め部１５ｂの両側位置にあり、遊技盤留め具１２が自由に回転するのを規制している。このように、遊技盤５の前面基準位置を規定する規制部材５０を遊技盤５の前面が当接する支持部５１と遊技盤５の後面側を押圧し遊技盤５を前面側に付勢する付勢力を備えた弾性押圧部５２が連設部５４を介して一体に形成するようにしたことにより、遊技盤５を前面基準位置を確実に保持した状態で装着することができる。
【００２５】
図８は規制部材の他の実施例を示し、規制部材５０Ａは、連設部５４を遊技盤収納部２５の一側に沿うように延設し、支持部５１及び弾性押圧部を所定の間隔をもって複数備えている。言い換えれば、前記実施例で説明した規制部材５０を遊技盤収納部２５の一側（左縦枠３ａ）に所定の間隔をもって上下対となるように（複数）設けた形態をなし、上下の連設部５４間を所定の長さを有する延設部５８により連結し一体化している。具体的には、遊技盤５の前面が当接する支持部５１と遊技盤５の後面側を押圧し遊技盤５を前面側に付勢する付勢力を備えた弾性押圧部５２を連設部５４を介して一体に形成し、上下の連設部５４を延設部５８により一体化している。そして、この連結部５８を遊技盤収納部２５（左縦枠３ａ）の内側に沿って装着することで、規制部材５０Ａを簡単に取着することができる。このように、複数の支持部５１及び弾性押圧部５２（規制部材５０）を延設部５８を介して一体化することにより、支持部５１の上下の位置合わせが不要となり、前面基準位置を確実に設定することができる。また、遊技盤収納部２５（左縦枠３ａ）の内側に延設部５８を沿わせることで、内枠３（遊技盤収納部２５）の補強を兼ねることができる。なお、支持部５１（取付片５３）を延設部５８に沿って形成するようにしてもよく、遊技領域５ａに臨ませて不正を行う不正具の侵入を阻止することができる。また、実施例において延設部５８を介して複数の支持部５１及び弾性押圧部５２を一体に形成するようにしたが、延設部５８を別体に形成し、複数の支持部５１及び弾性押圧部５２（規制部材５０）を延設部５８によって一体化するようにしてもよい。
【００２６】
上記実施の形態において、遊技機としてぱちんこ機を例に説明したが、遊技盤を使用して遊技する雀球遊技機，アレンジボール式遊技機等にも本発明を適用することができる。また、実施の形態に示した内容に限定されるものではなく、この発明の要旨を逸脱しない範囲で、種々の形態を実施し得るものである。
【図面の簡単な説明】
【００２７】
【図１】ぱちんこ機の正面図である。
【図２】前枠を開放したぱちんこ機の斜視図である。
【図３】内枠の正面図である。
【図４】内枠の要部を示す斜視図である。
【図５】（イ）は規制部材の斜視図、（ロ）は規制部材の平面図である。
【図６】（イ），（ロ）は、遊技盤組付け前後の状態を示す内枠の平断面図である。
【図７】（イ），（ロ）は、遊技盤留め具の退避位置と係止位置を示す要部正面図である。
【図８】規制部材の他の実施例を示す斜視図である。
【符号の説明】
【００２８】
１        ぱちんこ機（遊技機）
３        内枠
３ａ      左縦枠
３ｂ      右縦枠
３ｃ      下横枠
３ｄ      上横枠
７        前枠
２５      遊技盤収納部
５０      規制部材
５０Ａ    規制部材
５１      支持部
５２      弾性押圧部
５３      取付片
５４      連設部
５５      固定部
５６      透孔
５７      嵌合部
５８      延設部
Ｓ        間隔
【図１】
2010148709.tif 000003
【図２】
2010148709.tif 000004
【図３】
2010148709.tif 000005
【図４】
2010148709.tif 000006
【図５】
2010148709.tif 000007
【図６】
2010148709.tif 000008
【図７】
2010148709.tif 000009
【図８】
2010148709.tif 000010